(57)【要約】【課題】一体ものの指詰め防止部材を枠体Ｂ側と扉Ｃ側とに取り付けると、扉Ｃの開閉のたびに指詰め防止部材の形が変わるので、劣化や破損を生じやすい。また、扉Ｃ開閉時において扉Ｃ本来の動きが妨げられる。扉Ｃの開閉のたびに当接している部分が摩耗しやすいのみならず、音鳴りが発生する。これら従来の欠点を解消する。【解決手段】枠体Ｂ側に取り付けられる指詰め防止片１ａと、扉Ｃ側に取り付けられる指詰め防止片１ｂからなり、２つの指詰め防止片１ａ、１ｂは互いに分離している。そして、枠体Ｂ側と扉Ｃ側とに２つの指詰め防止片１ａ、１ｂを取り付けたときの両指詰め防止片１ａ、１ｂの先端の間隔は、両者間に指が入らない隙間Ｘを有している。隙間がない（隙間ゼロの）場合を含む。２つの指詰め防止片１ａ、１ｂの一方の先端が、枠体Ｂに扉Ｃを開閉自在に取り付けるための蝶番Ｄの軸芯ｄ上に来るように位置させると良い。【選択図】図３
2013245531.tif 000002
【特許請求の範囲】
【請求項１】
枠体とこの枠体に対して開閉自在の扉との間に指を詰めるのを防止するためのものであって、前記枠体側に取り付けられる指詰め防止片と、前記扉側に取り付けられる指詰め防止片からなり、２つの指詰め防止片は互いに分離しており、しかも、前記枠体側と前記扉側とに２つの指詰め防止片を取り付けたときの両指詰め防止片の先端間を、指の入らない隙間以下とすることを特徴とする指詰め防止部材。
【請求項２】
２つの指詰め防止片の一方の先端が、枠体に扉を開閉自在に取り付けるための蝶番の軸芯上に来るように位置せしめたことを特徴とする請求項１記載の指詰め防止部材。
【請求項３】
蝶番の軸芯上に来るように位置せしめた指詰め防止片の先端を、横断面円形状に膨出させることを特徴とする請求項２記載の指詰め防止部材。
【請求項４】
２つの指詰め防止片が同一形状であることを特徴とする請求項１または２記載の指詰め防止部材。
【請求項５】
枠体側とこの枠体に対して開閉自在の扉側とに、請求項１〜４のいずれかに記載の指詰め防止部材の指詰め防止片をそれぞれ取り付け、両指詰め防止片の先端間を、指の入らない隙間以下とすることを特徴とする開閉扉。
【請求項６】
枠体側と扉側とに取り付けられている２つの指詰め防止片の一方の先端を、枠体に扉を開閉自在に取り付けるための蝶番の軸芯上に来るように位置せしめたことを特徴とする請求項５記載の開閉扉。
【発明の詳細な説明】
【技術分野】
【０００１】
本発明は、枠体とこの枠体に対して開閉自在の扉との間に指を詰めるのを防止するための指詰め防止部材及びそれを備えた開閉扉に関するものである。
【背景技術】
【０００２】
扉を開閉する際、枠体と扉との間に隙間が生じ、誤ってその隙間で指を詰めるという事態が起り得る。
【０００３】
このような指詰めを防止するために、従来、枠体とこの枠体に開閉自在に取り付けられる扉との間に生じる隙間を塞ぐことが提案されている（例えば、特許文献１〜３参照）。
【先行技術文献】
【特許文献】
【０００４】
【特許文献１】特開２００８−１６３６６５号公報（図９、図１０等）
【０００５】
【特許文献２】実願昭６２−１４６９０７号（実開昭６４−５０５８５号）のマイクロフィルム（第２図等）
【０００６】
【特許文献３】登録実用新案第３１３３３１１号公報（図３〜図６等）
【発明の概要】
【発明が解決しようとする課題】
【０００７】
上記の場合にあっては、前記隙間を塞ぐための指詰め防止部材がいずれも一体ものであり、この一体ものの指詰め防止部材を特許文献１の場合には枠体側と扉側の両方に、特許文献２の場合には扉側のみに、特許文献３の場合には枠体側のみに取り付けてある。
【０００８】
特許文献１の場合のように、一体ものの指詰め防止部材を枠体側と扉側とに取り付けた場合には、扉の開閉のたびに前記指詰め防止部材の形が変わるので、劣化や破損を生じやすいという欠点を有している。また、枠体側と扉側の両方に一体ものの指詰め防止部材が取り付けられているので、扉開閉時において扉本来の動きが妨げられるという欠点を有している。
【０００９】
また、一体ものの指詰め防止部材を特許文献２、３のように扉側あるいは枠体側のみに取り付けた場合には、その他端縁部分が相手側の枠体あるいは扉に当接しているから、扉の開閉のたびに当接している部分が摩耗しやすいのみならず、音鳴りが発生するという欠点を有している。
【００１０】
本発明は、上記のような欠点を全て解消し得る指詰め防止部材を提供することを目的とするものである。また、本発明の他の目的は、この新規な指詰め防止部材を備えた開閉扉を提供することである。
【課題を解決するための手段】
【００１１】
上記目的を達成するため、本発明の指詰め防止部材は、枠体とこの枠体に対して開閉自在の扉との間に指を詰めるのを防止するためのものであって、前記枠体側に取り付けられる指詰め防止片と、前記扉側に取り付けられる指詰め防止片からなり、２つの指詰め防止片は互いに分離しており、しかも、前記枠体側と前記扉側とに２つの指詰め防止片を取り付けたときの両指詰め防止片の先端間を、指の入らない隙間以下とすることを特徴とするものである。
【００１２】
この指詰め防止部材は、枠体とこの枠体に対して開閉自在の扉との間であって枠体に扉を開閉自在に取り付けるための蝶番が配置されている付近に、取り付けることができる。そして、前記枠体側と前記扉側とに２つの指詰め防止片をそれぞれ取り付けたときの両指詰め防止片の先端間は、指の入らない隙間以下である。
したがって、枠体に対して扉が開閉する際、２つの指詰め防止片の先端間は指の入らない隙間以下を保ち、その結果、目的とする指詰め防止という面で十分な効果が得られる。また、この指詰め防止部材によれば、構成部材である２つの指詰め防止片は互いに分離されているので、扉開閉時における扉本来の動きが妨げられることはない。
【００１３】
２つの指詰め防止片の一方の先端が、枠体に扉を開閉自在に取り付けるための蝶番の軸芯上に来るように位置せしめるのが良い。このようにした場合には、枠体に対して扉が開閉する際、２つの指詰め防止片の一方の先端が絶えず蝶番の軸芯上に位置し、その周りにおいてもう一方の指詰め防止部材の先端が指の入らない隙間以下を保つので、目的とする指詰め防止効果が一層高められる。
【００１４】
蝶番の軸芯上に来るように位置せしめた指詰め防止片の先端を、横断面円形状に膨出させるのが良い。このようにした場合には、枠体に対して扉が開閉する際、横断面円形状の膨出部が絶えず決まったところに位置し、この膨出部の周りにおいてもう一方の指詰め防止片の先端が指の入らない隙間以下を保つので、目的とする指詰め防止効果がより一層高められる。
【００１５】
２つの指詰め防止片が同一形状であることが望ましい。このようにした場合には、指詰め防止片を１つ用意するだけで枠体側にも扉側にも同じ形状の指詰め防止片を取り付けることで指詰め防止効果を発揮できるから、コスト的に極めて安いという利点がある。
【００１６】
一方、これらの新規な指詰め防止部材を備えた開閉扉を新規に提供するために、本発明では、枠体側とこの枠体に対して開閉自在の扉側とに、上記のいずれかに記載の指詰め防止部材の指詰め防止片をそれぞれ取り付け、両指詰め防止片の先端間を、指の入らない隙間以下とするものである。
【００１７】
この開閉扉によれば、枠体側と扉側とに取り付けられている２つの指詰め防止部材の先端間は、指の入らない隙間以下である。したがって、枠体に対して扉が開閉する際、２つの指詰め防止片の先端間は指の入らない隙間以下を保ち、その結果、目的とする指詰め防止という面で十分な効果が得られる。また、この開閉扉によれば、指詰め防止部材の構成部材である２つの指詰め防止片は互いに分離しているので、扉開閉時における扉本来の動きが妨げられることはない。
【００１８】
枠体側と扉側とに取り付けられている２つの指詰め防止片の一方の先端を、枠体に扉を開閉自在に取り付けるための蝶番の軸芯上に来るように位置せしめるのが良い。このようにした場合には、枠体に対して扉が開閉する際、２つの指詰め防止片の一方の先端が絶えず蝶番の軸芯上に位置し、その周りにおいてもう一方の指詰め防止片の先端が指の入らない隙間以下を保つので、目的とする指詰め防止効果が一層高められる。
【００１９】
なお、本発明においては、枠体側と扉側とに２つの指詰め防止片を取り付けたときの両指詰め防止片の先端間を、指の入らない隙間以下とする場合から、隙間がない（隙間ゼロの）場合までのすべてを包含する。
【発明の効果】
【００２０】
請求項１記載の発明によれば、枠体側と扉側とに２つの指詰め防止片を取り付けたときの両指詰め防止片の先端間は、指の入らない隙間以下である。したがって、枠体に対して扉が開閉する際、２つの指詰め防止片の先端間は指の入らない隙間以下を保ち、その結果、目的とする指詰め防止という面で十分な効果が得られる。また、この指詰め防止部材によれば、構成部材である２つの指詰め防止片は互いに分離しているので、扉開閉時における扉本来の動きが妨げられることはない。
【００２１】
請求項２記載の指詰め防止部材を用いた場合には、枠体に対して扉が開閉する際、２つの指詰め防止片の一方の先端が絶えず蝶番の軸芯上に位置し、その周りにおいてもう一方の指詰め防止片の先端が指の入らない隙間以下を保つので、目的とする指詰め防止効果が一層高められる。
【００２２】
請求項３記載の指詰め防止部材を用いた場合には、枠体に対して扉が開閉する際、横断面円形状の膨出部が絶えず決まったところに位置し、この膨出部の周りにおいてもう一方の指詰め防止片の先端が指の入らない隙間以下を保つので、目的とする指詰め防止効果がより一層高められる。
【００２３】
請求項４記載の発明によれば、指詰め防止片を１つ用意するだけで枠体側にも扉側にも同じ形状の指詰め防止片を取り付けることで指詰め防止効果を発揮できるから、コスト的に極めて安いという利点がある。
【００２４】
請求項５記載の開閉扉によれば、枠体側と扉側とに取り付けられている２つの指詰め防止片の先端間は、指の入らない隙間以下である。したがって、枠体に対して扉が開閉する際、２つの指詰め防止片の先端間は指の入らない隙間以下を保ち、その結果、目的とする指詰め防止という面で十分な効果が得られる。また、請求項５記載の開閉扉によれば、指詰め防止部材の構成部材である２つの指詰め防止片は互いに分離されているので、扉開閉時における扉本来の動きが妨げられることはない。
【００２５】
請求項６記載の開閉扉を用いた場合には、枠体に対して扉が開閉する際、枠体側と扉側とに取り付けられている２つの指詰め防止片の一方の先端が、絶えず蝶番の軸芯上に位置し、その周りにおいてもう一方の指詰め防止片の先端が指の入らない隙間以下を保つので、目的とする指詰め防止効果がより一層高められる。
【図面の簡単な説明】
【００２６】
【図１】分離している２つの指詰め防止片からなる本発明の指詰め防止部材を、枠体とこの枠体に対して開閉自在の扉との間であって両者を連結するための蝶番が扉に対して右側に位置するところに取り付けた一例を示す概略図である。
【図２】図１のＡ−Ａ線拡大横断面図である。
【図３】分離している２つの指詰め防止片からなる指詰め防止部材の第一の形態を示し、枠体側に取り付けられている指詰め防止片の先端を、枠体とこの枠体に対して開閉自在の扉との間であって両者を連結するための蝶番の軸芯上に来るように位置せしめた場合の概略図で、(a)は一部の拡大横断面図、(b)〜(e)は枠体に対して扉を４５°、９０°、１３５°、１８０°開いた状態を示す横断面図である。
【図４】分離している２つの指詰め防止片の取り付け位置を、図３に示す場合と異ならしめた変形例を示す概略図で、(a)は一部の拡大横断面図、(b)〜(e)は枠体に対して扉を４５°、９０°、１３５°、１８０°開いた状態を示す横断面図である。
【図５】分離している２つの指詰め防止片からなる指詰め防止部材の第二の形態を示し、扉側に取り付けられている指詰め防止片の先端を、枠体とこの枠体に対して開閉自在の扉との間であって両者を連結するための蝶番の軸芯上に来るように位置せしめた場合の概略図で、(a)は一部の拡大横断面図、(b)〜(e)は枠体に対して扉を４５°、９０°、１３５°、１８０°開いた状態を示す横断面図である。
【図６】分離している２つの指詰め防止片の取り付け位置を、図５に示す場合と異ならしめた変形例を示す概略図で、 (a)は一部の拡大横断面図、(b)〜(e)は枠体に対して扉を４５°、９０°、１３５°、１８０°開いた状態を示す横断面図である。
【図７】分離している２つの指詰め防止片からなる指詰め防止部材の第三の形態を示し、扉側に取り付けられている指詰め防止片の先端を、枠体とこの枠体に対して開閉自在の扉との間であって両者を連結するための蝶番の軸芯上に来るように位置せしめた状態を示す概略図で、(a)は一部の拡大横断面図、(b)〜(e)は枠体に対して扉を４５°、９０°、１３５°、１８０°開いた状態を示す横断面図である。
【図８】扉側に取り付けられている指詰め防止片の先端形状を、図７に示す場合と異ならしめた変形例を示す概略図で、(a)は一部の拡大横断面図、(b)〜(e)は枠体に対して扉を４５°、９０°、１３５°、１８０°開いた状態を示す横断面図である。
【発明を実施するための形態】
【００２７】
分離している２つの指詰め防止片からなる本発明の指詰め防止部材の一例を、図面に基いて詳細に説明する。
ここに例示する指詰め防止部材１は、枠体Ｂとこの枠体Ｂに対して開閉自在の扉Ｃとの間に指を詰めるのを防止するためのものであって、例えば、図１に示すように、枠体Ｂとこの枠体Ｂに対して開閉自在の扉Ｃとの間であって両者を連結するための蝶番Ｄが扉Ｃに対して右側に位置するところに取り付けることができる。
【００２８】
この指詰め防止部材１は、前記枠体Ｂ側に取り付けられる指詰め防止片１ａと、前記扉Ｃ側に取り付けられる指詰め防止片１ｂからなり、２つの指詰め防止片１ａ、１ｂは互いに分離している。そして、ここでは、前記枠体Ｂ側と前記扉Ｃ側とに２つの指詰め防止片１ａ、１ｂを取り付けたときの両指詰め防止片１ａ、１ｂの先端間は、指が入らない隙間Ｘを有する場合を例示する。なお、隙間がない（隙間ゼロの）場合も包含されるが、これについては、以下に詳述する。
【００２９】
したがって、上記の位置において、２つの指詰め防止片１ａ、１ｂを枠体Ｂ側と扉Ｃ側とに取り付ければ、枠体Ｂに対して扉Ｃが開閉する際、２つの指詰め防止片１ａ、１ｂの先端が絶えず同じ間隔（隙間）を保つことができる。この同じ間隔（隙間）とは、上述したように両者間に指が入らない隙間Ｘであるから、目的とする指詰め防止という面で十分な効果が得られる。また、この指詰め防止部材１によれば、その構成部材である２つの指詰め防止片１ａ、１ｂは互いに分離しているので、扉開閉時における扉Ｃ本来の動きが妨げられることはない。
【００３０】
図１は、分離している２つの指詰め防止片１ａ、１ｂからなる指詰め防止部材１を、枠体Ｂとこの枠体Ｂに対して開閉自在の扉Ｃとの間であって両者を連結するための蝶番Ｄが扉Ｃに対して右側に位置するところに取り付けた一例を示す概略図、図２は、図１のＡ−Ａ線拡大横断面図である。
【００３１】
ここには、図１に示すように、上下２つの蝶番Ｄ、Ｄ間と、上側の蝶番Ｄの上側及び下側の蝶番Ｄの下側のそれぞれのところにおいて、枠体Ｂ側にこの指詰め防止部材１の一方の構成片である指詰め防止片１ａを、また、扉Ｃ側にこの指詰め防止部材１のもう一方の構成片である指詰め防止片１ｂを取り付けた場合を例示する。このように、分離している２つの指詰め防止片１ａ、１ｂを枠体Ｂ側と扉Ｃ側とに取り付ければ、上述したように指詰め防止効果を発揮することができる。
【００３２】
図３は、分離している２つの指詰め防止片１ａ、１ｂからなる指詰め防止部材１の第一の形態を示す横断面図である。図３では、分離している２つの指詰め防止片１ａ、１ｂのうち枠体Ｂ側に取り付けられている指詰め防止片１ａの先端が、枠体Ｂとこの枠体Ｂに対して開閉自在の扉Ｃとの間であって両者を連結するための蝶番Ｄの軸芯ｄ上に来るように位置させた場合を例示する。そして、この軸芯ｄ上にある指詰め防止片１ａの先端から隙間Ｘだけ離れた位置に、扉Ｃ側に取り付けられている他方の指詰め防止片１ｂの先端が位置することになる。
【００３３】
このように、分離している２つの指詰め防止片１ａ、１ｂが枠体Ｂ側と扉Ｃ側に取り付けられている場合において、枠体Ｂに対して扉Ｃを開閉したときの２つの指詰め防止片１ａ、１ｂの動きを図３(b)〜(e)に示す。すなわち、図３(b)は、枠体Ｂに対して扉Ｃを４５°開いた状態を、図３(c)は、枠体Ｂに対して扉Ｃを９０°開いた状態を、図３(d)は、枠体Ｂに対して扉Ｃを１３５°開いた状態を、図３(e)は、枠体Ｂに対して扉Ｃを１８０°開いた状態を示す。
【００３４】
これらの場合においては、いずれも、枠体Ｂ側に取り付けられている指詰め防止片１ａの先端が順次開いて行く蝶番Ｄの軸芯ｄ上に絶えず位置しており、絶えずこの位置にある指詰め防止片１ａの先端の周りを隙間Ｘの間隔をあけて他方の指詰め防止片１ｂの先端が回るように移動する。ここに、隙間Ｘは上述したように両者間に指が入らない隙間であるから、枠体Ｂに対して扉Ｃがいかなる開閉角度になったとしても、指詰めの事態は生じない。枠体Ｂに対して扉Ｃが順次閉じて行く場合でも、２つの指詰め防止片１ａ、１ｂの先端の間隔（隙間）は変わらない。
【００３５】
図３では、枠体Ｂの内面に指詰め防止片１ａの基部を、扉Ｃの内面に指詰め防止片１ｂの基部を取り付けた場合を例示するが、図４に示すように、枠体Ｂの前面に指詰め防止片１ａの基部である折曲部分を、扉Ｃの前面に指詰め防止片１ｂの基部である折曲部分を取り付けても良い。
【００３６】
この場合においても、図４(b)〜(e)に示すように、枠体Ｂ側に取り付けられている指詰め防止片１ａの先端が順次開いて行く蝶番Ｄの軸芯ｄ上に絶えず位置し、絶えずこの位置にある指詰め防止片１ａの先端の周りを隙間Ｘの間隔をあけて他方の指詰め防止片１ｂの先端が回るように移動する。すなわち、一方の指詰め防止片１ａの先端に対する他方の指詰め防止片１ｂの先端の動きは、図３(b)〜(e)に示した場合と同様である。ここに、隙間Ｘは上述したように両者間に指が入らない隙間であるから、枠体Ｂに対して扉Ｃがいかなる開閉角度になったとしても、指詰めの事態は生じない。枠体Ｂに対して扉Ｃが順次閉じて行く場合でも、２つの指詰め防止片１ａ、１ｂの先端の間隔（隙間）は変わらない。
【００３７】
一方、図３、図４の場合とは異なり、図５では、扉Ｃ側に取り付けられている指詰め防止片１ｂの先端が蝶番Ｄの軸芯ｄ上に来るように位置させた場合を例示し、絶えずこの位置にある指詰め防止片１ｂの先端から隙間Ｘだけ離れた位置に、枠体Ｂ側に取り付けられている他方の指詰め防止片１ａの先端を位置させてある。
【００３８】
この場合においては、図５(b)〜(e)に示すように、扉Ｃ側に取り付けられている指詰め防止片１ｂの先端が順次開いて行く蝶番Ｄの軸芯ｄ上に絶えず位置し、絶えずこの位置にある指詰め防止片１ｂの先端の周りにおいて隙間Ｘの間隔をあけて他方の指詰め防止片１ａの先端が絶えず位置することになる。すなわち、一方の指詰め防止片１ｂの先端に対する他方の指詰め防止片１ａの先端は、停止したままである。ここに、隙間Ｘは上述したように両者間に指が入らない隙間であるから、枠体Ｂに対して扉Ｃがいかなる開閉角度になったとしても、指詰めの事態は生じない。枠体Ｂに対して扉Ｃが順次閉じて行く場合でも、２つの指詰め防止片１ａ、１ｂの先端の間隔（隙間）は変わらない。
【００３９】
なお、図６は、図５の場合とは異なって図４に示す場合と同様に、枠体Ｂの前面に指詰め防止片１ａの基部である折曲部分を、扉Ｃの前面に指詰め防止片１ｂの基部である折曲部分を取り付けた場合を例示する。
【００４０】
この場合においても、図６(b)〜(e)に示すように、扉Ｃ側に取り付けられている指詰め防止片１ｂの先端が順次開いて行く蝶番Ｄの軸芯ｄ上に絶えず位置し、絶えずこの位置にある指詰め防止片１ｂの先端の周りにおいて隙間Ｘの間隔をあけて他方の指詰め防止片１ａの先端が絶えず位置することになる。すなわち、一方の指詰め防止片１ｂの先端に対する他方の指詰め防止片１ａの先端は、図５(b)〜(e)に示す場合と同様に、停止したままである。ここに、隙間Ｘは上述したように両者間に指が入らない隙間であるから、枠体Ｂに対して扉Ｃがいかなる開閉角度になったとしても、指詰めの事態は生じない。枠体Ｂに対して扉Ｃが順次閉じて行く場合でも、２つの指詰め防止片１ａ、１ｂの先端の間隔（隙間）は変わらない。
【００４１】
また、図７、図８では、図５および図６の場合と同様に、扉Ｃ側に取り付けられている指詰め防止片１ｂの先端が蝶番Ｄの軸芯ｄ上に来るように位置させた場合を例示し、絶えずこの位置にある指詰め防止片１ｂの先端から隙間Ｘだけ離れた位置に、枠体Ｂ側に取り付けられている他方の指詰め防止片１ａの先端を位置させてある。すなわち、一方の指詰め防止片１ｂの先端に対する他方の指詰め防止片１ａの先端は、図５(b)〜(e)、図６(b)〜(e)に示す場合と同様に、停止したままである。ここに、隙間Ｘは上述したように両者間に指が入らない隙間であるから、枠体Ｂに対して扉Ｃがいかなる開閉角度になったとしても、指詰めの事態は生じない。枠体Ｂに対して扉Ｃが順次閉じて行く場合でも、２つの指詰め防止片１ａ、１ｂの先端の間隔（隙間）は変わらない。
【００４２】
このように、分離している２つの指詰め防止片１ａ、１ｂの一方の先端が、枠体Ｂに扉Ｃを開閉自在に取り付けるための蝶番Ｄの軸芯ｄ上に来るように位置させてある。
このようにした場合には、枠体Ｂに対して扉Ｃが開閉する際、２つの指詰め防止片１ａ、１ｂの一方の先端が絶えず蝶番Ｄの軸芯ｄ上に位置し、その周りをもう一方の指詰め防止片の先端が絶えず同じ間隔（指が入らない隙間）を保って回るか、あるいは、その周りにおいてもう一方の指詰め防止片の先端が絶えず同じ間隔（指が入らない隙間）を保つので、目的とする指詰め防止効果が一層高められる。
【００４３】
そして、図２〜図６では、分離している２つの指詰め防止片１ａ、１ｂの先端をいずれも横断面円形状に膨出させてあるのに対して、図７、図８では、蝶番Ｄの軸芯ｄ上に来るように位置せしめた指詰め防止片１ｂの先端のみを膨出させ、他方の指詰め防止片１ａについては膨出させてない場合を例示してある。
【００４４】
２つの指詰め防止片１ａ、１ｂの先端の形状は特に限定されるものではなく、要は、両指詰め防止片１ａ、１ｂの先端の間隔が両者間に指が入らない間隔Ｘを有していれば良いが、好ましくは、蝶番Ｄの軸芯ｄ上に来るように位置せしめた指詰め防止片１ａあるいは１ｂの先端を横断面円形状に膨出させておくのが良い。なぜならば、枠体Ｂに対して扉Ｃが開閉する際、横断面円形状の膨出部の周りをもう一方の指詰め防止片の先端が絶えず同じ間隔（指が入らない隙間）を保って回るか、あるいは、その周りにおいてもう一方の指詰め防止片の先端が絶えず同じ間隔（指が入らない隙間）を保つので、目的とする指詰め防止効果が一層高められるからである。
【００４５】
最も好ましいのは、２つの指詰め防止片１ａ、１ｂの先端をいずれも横断面円形状に膨出させ、そのうちの一方の指詰め防止片１ａあるいは１ｂの膨出部を蝶番Ｄの軸芯ｄ上に来るようにすることである。この場合には、枠体Ｂに対して扉Ｃが開閉する際、横断面円形状に膨出していない先端部分を有する指詰め防止片の先端で指を怪我することを防止できる等のメリットがある。
【００４６】
また、図２および図３では、分離している２つの指詰め防止片１ａ、１ｂを同一形状とした場合が例示されている。
このようにした場合には、指詰め防止片１ａ、１ｂのいずれか１つを用意するだけで枠体Ｂ側にも扉Ｃ側にも同じ形状の指詰め防止片１ａ、１ｂを取り付けることで指詰め防止効果を発揮できるので、コスト的に極めて安いという利点がある。
【００４７】
指詰め防止部材が分離している２つの指詰め防止片１ａ、１ｂからなる場合には、上述した効果を有するほか、以下のような様々な利点を有する。例えば、２つの指詰め防止片１ａ、１ｂが分離しており、それらを枠体Ｂ側と扉Ｃ側に別個に取り付けることができるので、枠体Ｂに対して開閉する扉Ｃと擦れないため、傷や音鳴りの問題が発生しない。
【００４８】
また、分離している２つの指詰め防止片１ａ、１ｂの一方の先端が、枠体Ｂに扉Ｃを開閉自在に取り付けるための蝶番Ｄの軸芯ｄ上に来るように位置させた場合には、蝶番Ｄの軸芯ｄ上に位置する指詰め防止片１ａあるいは１ｂの先端が蝶番Ｄの軸芯ｄより手前側に突出することがないので、意匠的にも優れている。さらに、枠体Ｂに対して扉Ｃが開閉する際の両指詰め防止片１ａ、１ｂの先端間の隙間は、両者間に指が入らない小さな隙間であるから、扉Ｃの開閉の際に見苦しさはない。
【００４９】
一方、枠体Ｂ側とこの枠体Ｂに対して開閉自在の扉Ｃ側とに、上述した指詰め防止部材１の指詰め防止片１ａ、１ｂをそれぞれ取り付け、両指詰め防止片１ａ、１ｂの先端の間隔は両者間に指が入らない隙間Ｘを有するものとする。
【００５０】
このような開閉扉によれば、枠体Ｂに対して扉Ｃが開閉する際、枠体Ｂ側と扉Ｃ側とに取り付けられている２つの指詰め防止片１ａ、１ｂ間に指が入らないので、目的とする指詰め防止という面で十分な効果が得られる。また、指詰め防止部材１の構成部材である２つの指詰め防止片１ａ、１ｂは互いに分離しているので、扉開閉時における扉Ｃ本来の動きが妨げられることはない。
【００５１】
ここでは、枠体Ｂ側と扉Ｃ側とに取り付けられている２つの指詰め防止片１ａ、１ｂの一方の先端を、枠体Ｂに扉Ｃを開閉自在に取り付けるための蝶番Ｄの軸芯ｄ上に来るように位置させてある。
【００５２】
このような開閉扉によれば、枠体Ｂに対して扉Ｃが開閉する際、２つの指詰め防止片１ａ、１ｂの一方の先端が絶えず蝶番Ｄの軸芯ｄ上に位置し、その周りをもう一方の指詰め防止片の先端が絶えず同じ間隔（指が入らない隙間）を保って回るか、あるいは、その周りにおいてもう一方の指詰め防止片の先端が絶えず同じ間隔（指が入らない隙間）を保つので、目的とする指詰め防止効果がより一層高められる。
【００５３】
上述の例では、枠体Ｂ側と扉Ｃ側とに２つの指詰め防止片１ａ、１ｂを取り付けたときの両指詰め防止片１ａ、１ｂの先端の間隔が、両者間に指の入らない隙間Ｘを有するものとした場合について説明したが、この隙間はなくても、すなわち、隙間ゼロでも良い。隙間がない（隙間ゼロ）とは、２つの指詰め防止片１ａ、１ｂの両先端が互いに接触している場合をいう。
したがって、本発明においては、枠体Ｂ側と扉Ｃ側とに２つの指詰め防止片１ａ、１ｂを取り付けたときの両指詰め防止片１ａ、１ｂの先端間を、指の入らない隙間以下とする場合から、隙間がない（隙間ゼロの）場合までのすべてを包含する。
【００５４】
２つの指詰め防止片１ａ、１ｂを上下方向に長尺状で作製しておき、それを枠体Ｂおよび扉Ｃの高さに応じて現場で切ることができるようにしておけば、従来から設置されているものに対しても、新築の場合にも対応でき、また、異なる形式の蝶番にも十分対応できる。さらに、２つの指詰め防止片１ａ、１ｂを切ることができる素材、例えば、合成樹脂製とすれば、製造上ならびに材料費の面で有利である。
【００５５】
枠体Ｂ側と扉Ｃ側とに２つの指詰め防止片１ａ、１ｂを取り付けるには、通常の取付ねじを用いることができ、あるいはビス止めができるほか、粘着テープを用いることもできる。粘着テープを用いた場合には、指詰め防止片１ａ、１ｂの取付作業が簡単になるのみならず、枠体Ｂや扉Ｃに傷を付けることがないので、極めて有利である。
【００５６】
なお、図２〜図８において、符号ｄ’は枠体Ｂに扉Ｃを開閉自在に取り付けるための蝶番Ｄの取付座であり、通常、この取付座ｄ’を利用して取付ねじで枠体Ｂに対して扉Ｃを開閉自在に取り付けることができる。
【００５７】
ここでは、図１に示すように、枠体Ｂの右側内面と片開きの扉Ｃの右端面とに蝶番Ｄの取付座ｄ’をそれぞれ取り付け、扉Ｃに対して右側に位置する蝶番Ｄを介して片開きの扉Ｃが開閉するようにした場合を例示したが、枠体Ｂの左側内面と片開きの扉Ｃの左端面とに蝶番Ｄの取付座ｄ’をそれぞれ取り付け、扉Ｃに対して左側に位置する蝶番Ｄを介して片開きの扉Ｃが開閉するようにしても良い。
【００５８】
この場合においても、枠体Ｂの左側内面と片開きの扉Ｃの左端面との間で指を詰めることがないように、本発明の指詰め防止部材を適用できる。もっとも、この場合には、枠体Ｂおよび扉Ｃの右側で使用する指詰め防止部材に対して、枠体Ｂおよび扉Ｃの左側で使用し得る指詰め防止部材を別途用意する必要があるが、いずれの場合にも本発明を適用できることに変わりはない。
【産業上の利用可能性】
【００５９】
このように、ここでは、枠体Ｂの左右両側のいずれか一方の内面とこの枠体Ｂに対して片開きの扉の外端面との間で指を詰めることがないように、本発明の指詰め防止部材を適用した場合について説明したが、枠体Ｂの左右両内面とこの枠体Ｂに対して両開きの扉の左右両外端面との間で指を詰めることがないようにする場合にも、本発明の指詰め防止部材を適用できることは言うまでもない。この場合には、枠体Ｂの左右両内面と両開きの扉の左右両外端面とに、分離している２つの指詰め防止片１ａ、１ｂをそれぞれ取り付けることにより、枠体Ｂの左右両内面と両開きの扉の左右両外端面との間での指詰め防止効果を期待できる。
【符号の説明】
【００６０】
１…指詰め防止部材、１ａ、１ｂ…指詰め防止片、Ｂ…枠体、Ｃ…扉、Ｄ…蝶番、ｄ…軸芯、Ｘ…隙間。
【図１】
2013245531.tif 000003
【図２】
2013245531.tif 000004
【図３】
2013245531.tif 000005
【図４】
2013245531.tif 000006
【図５】
2013245531.tif 000007
【図６】
2013245531.tif 000008
【図７】
2013245531.tif 000009
【図８】
2013245531.tif 000010